(57)【要約】【課題】有害物回収を掃除機で行う場合は、掃除機の紙パック式か水分も吸い込めるタンク式があります。何れの場合も有害物を掃除機から取り出して、ビニール袋に詰め替えて処分する必要があります。【解決手段】有害物を直接掃除機内のビニール袋に吸い込ませれば、安全に有害物を処分することができます。ビニール袋を直接使えるように、パンチング穴・メッシュ状の金網でビニール袋を掃除機内にセットに掃除機の吸引力を利用し、ビニール袋をメッシュボールに張り付かせることで、掃除機への吸い込み防ぎ有害物回収袋として利用できる。【選択図】  図１
2020185096.tif 000002
【特許請求の範囲】
【請求項１】
有害物を掃除機内のビニール袋に直接収納できる構造を特徴とする有害物回収用掃除機
【請求項２】
ビニール袋の固定を凹凸シールまたは、マグネット板による挟み込みを特徴とする請求項１に記載の有害物回収用掃除機
【請求項３】
ビニール袋の気密性を密着シールに置き換えた構造を特徴とする請求項１から２記載の有害物回収用掃除機
【請求項４】
ビニール袋が吸い込まれないように、袋外側の負圧を利用した構造を特徴とする請求項１から３記載の有害物回収用掃除機
【請求項５】
ビニール袋外側に内側より大きくなる負圧差が生じるよう、通気孔がある構造を特徴とする請求項１から４記載の有害物回収用掃除機
【請求項６】
ビニール袋外側の気流を利用した静電気を発生させることで、ビニール袋内の有害物吸着と舞い上がり防止を特徴とする請求項１から５記載の有害物回収用掃除機
【請求項７】
ビニール袋で回収出来ない細かい有害物を、後段の集塵袋で回収する２段構造を特徴とする請求項１から６記載の有害物回収用掃除機
【請求項８】
有害物回収後、ビニール袋の口をそのまま密閉して廃棄することが出来る構
造を特徴とする請求項１から７記載の有害物回収用掃除機
【発明の詳細な説明】
【技術分野】
【０００１】
本発明は、有害物を掃除機で回収する場合、直接ビニール袋等に回収し直接廃棄できる掃除機に関する。
【背景技術】
【０００２】
有害物を掃除機で回収方法としては、掃除機内部に紙パックを収納する一般的掃除機が利用されています。
【０００３】
紙パック式は、紙パック交換時の破損により、有害物が飛散する恐れがあります。破損の原因としては有害物の吸い込み過ぎによる過重・水分吸い込みによる破れ・有害物の性質による紙パックの変質があります。
【０００４】
紙パック自体は、そのまま廃棄することはできず、ビニール袋に紙パックごと入れ換えて廃棄しています。
【先行技術文献】
【特許文献】
【０００５】
【特許文献１】登録実用新案  第３０２７７６２号報
【特許文献２】特開  ２００１-１２１０４０号報
【特許文献３】特開  ２００７−２５３０９７号報
【発明の概要】
【発明が解決しようとする課題】
【０００６】
特許文献１記載の集塵装置は、構造が複雑化してコストが高く、空気ホー
スで接続された通気管が張り出して、塵埃回収の妨げとなる問題がある。
【０００７】
特許文献２は、集塵運転開始時は、捕集容器内は大気圧状態であるのに対して、集塵機内が負圧になるため、蓋体が浮き上がってダストが外部に噴き出してしまう問題がある。
【０００８】
特許文献３は、回収時に、塵埃が露出してしまい飛散の恐れがあり、捕集容器と集塵袋の間に、ダストは入ってしまう問題があります。
【０００９】
通常の紙パック式掃除機を使う場合は、紙パック交換時の破損により、有害物が飛散する恐れがあります。破損の原因としては有害物の吸い込み過ぎによる過重・水分吸い込みによる破れ・有害物の性質による紙パックの変質があります。
【００１０】
本発明は、市販サイズのビニール袋を集塵袋として使い、構造が簡単で飛散の恐れがなく、ビニール袋自体が掃除機の吸引力で浮き上がることがなく、溶剤・固形物で使用可能な有害物回収用掃除機を提供する。上記特許文献１に記載の集塵装置は、集塵機本体と塵埃収納容器との間を空気ホースで接続した構造であるため、構造が複雑化して製造コストが高くなると共に、吸引された空気中に含まれる塵埃を捕集する塵埃捕集手段（集塵機本体）内に、空気ホースに接続された通気管が張り出しているため、吸引されて落下して来る塵埃（ダスト）回収の妨げとなる問題があった。上記特許文献１に記載の集塵装置は、集塵機本体と塵埃収納容器との間を空気ホースで接続した構造であるため、構造が複雑化して製造コストが高くなると共に、吸引された空気中に含まれる塵埃を捕集する塵埃捕集手段（集塵機本体）内に、空気ホースに接続された通気管が張り出しているため、吸引されて落下して来る塵埃（ダスト）回収の妨げとなる問題があった。
【課題を解決するための手段】
【００１１】
本発明は、掃除機内に大きなビニール袋１３を紙パックのようにセットすることで、有害物をビニール袋１３に直接廃棄することができるようにした物で個体・液体の両方に対応できる掃除機になります。
【００１２】
ビニール袋１３の装着は、下部固定板４を開けてビニー袋１３を入れ下部固定板４を閉めた後、ビニール袋１３の口を下部固定板４上に広げ上部蓋２０を閉めながら上部固定板３の間に挟み込みます。上部固定板３には、ビニール袋１３の袋入口を押さえる樹脂又は、ゴムの製の凸製固定治具３ａがあり、下部固定板４にもビニール袋がずれないよう凸製固定治具３ａを受ける樹脂又は、ゴム製のシール材４ａで挟み、ビニール袋１３のズレを防ぎます。
【００１３】
ビニール袋１３の内側と外側の気密性は、凸製固定治具３ａとシール材４ａを直接密着させ、ビニール袋１３の内側と外側の気密を保つシール部２１で作ります。
【００１４】
掃除機内のビニール袋１３が掃除機内の吸引力で縮むことが無いように、ビニール袋１３をセットするメッシュボール１２にメッシュボール通気口６を設けることで、掃除機の吸引力を使いビニール袋１３が縮む事を防ぎ有害物回収袋として使用できます。
【００１５】
メッシュボール１２内に、メッシュボール１２同様にお皿を逆さにした静静電気板１１が入っており、掃除機用吸引モーター７で発生する気流で静電気板１１とビニール袋１３の摩擦で発生する静電気を利用して有害物をビニール袋１３内面への吸着と舞い上がりを防止する。
【００１６】
静電気板１１にも全面に静電気板通気孔１０があり、メッシュボール１２同様にビニール袋１３の吸引と静電気を発生させ利用している。
【００１７】
ビニール袋１３で回収出来ない細かな有害物は、後段の紙パックで回収し紙パックを不燃布・活性炭・特殊フィルターと交換することで安全な排気を得ることが出来る。
【発明の効果】
【００１８】
本発明においては、有害物を掃除機で回収する場合、有害物を移し替えることなく安全に廃棄することができる。また、水分を含んだ有害物でもそのまま吸い込むことが可能で、生産現場において安全に有害物回収作業を行うことが出来る。
【図面の簡単な説明】
【００１９】
【図１】有害物用掃除機の全断面説明図
【図２】上蓋開時の全断面図
【図３】ビニール袋装着部の全断面図
【図４】掃除機吸引時気流説明図
【発明を実施するための形態】
【００２０】
本発明の一実施形態をなす有害物回収用掃除機を、図面を参照して説明する。
【００２１】
掃除機内の気流を説明します。図４のように掃除機用吸引モーター７により発生した吸い込み気流は、掃除機吸引口１の吸引気流Ａとなり掃除機内に有害物を引き込みます。吸い込まれた有害物は、ビニール袋内吸い込み口８からビニール袋１３内に入り、比重の重い物は吹き出し気流Ｂと一緒に落下し、比重の軽い物は吸い込み気流Ｃと一緒にビニール袋吹き出し口９に吸い込まれます
また、吸い込み口８の先端に傘を付けることにより、水分の多い有害物が二重管を伝わって吹き出し口９に吸い込まれるのを防ぐことも出来ます。
【００２２】
吸い込まれた軽い塵埃は、紙パック１６で回収されて気流自体は、上蓋内通気口１９を通り、下部本体５に入り最終的に掃除機用吸引モーター７から外部に排出されます。
紙パック１６は、パンチング又は、メッシュ状の紙パックケース２４内に収納され、紙パック吸い込み口１７とパッキンで接続され、隙間からの漏れを防いでいる。
【００２３】
図１のように、ビニール袋１３を使えるようにするため、ビニール袋１３の開放側を上方向にし、ビニール袋内吸い込み口８とビニール袋内吹き出し口９を二重管構造にします。また、ビニール袋内吸い込み口８の方を長くし、有害物がビニール袋内吹き出し口９の影響をされずに比重の重い有害物をビニール袋１３内に落下させます。
【００２４】
ビニール袋１３が、掃除機の負圧で縮まないように、ビニール袋１３を収納するメッシュボール１２は、金属の金網又は、金属か樹脂のパンチングメタル製の箱型・円筒型で、全体にメッシュボール通気孔６が開いており、ビニール袋１３の外側に掃除機用吸引モーター７の吸引力を直接かけることで、ビニール袋１３の内側より高い負圧がかかり、ビニール袋１３が縮むことなくメッシュボール１２の内側に張り付かせる。
【００２５】
また、ビニール袋１３とメッシュボール１２の底部間に取り外し可能な静電気板１１があり、掃除機用吸引モーター７の気流摩擦により静電気を発生させることが出来る。更にメッシュボール１２の樹脂材質・静電気板１１の樹脂材質を変えることで、発生する静電気の±を入れ換え有害物吸着に最適な静電気を選択する。
【００２６】
発生した静電気は、ビニール袋内吸い込み口８から入り込む有害物を静電気で引き付け、塵埃の舞い上がりを防ぐ。
【００２７】
図１のビニール袋セット部分を図１Ａ詳細図である図３で説明します。下
部固定板４で一端すぼめられたビニール袋１３の口を下部固定板４の上で円形状に広げ、下部固定板４のシール材4ａ内に収めます。シール材は樹
脂または、ゴム製の物で出来ています。
【００２８】
ビニール袋１３の口がしわくちゃの状態で、上蓋２０を閉めて上部固定板３で挟み込みます。上部固定板３には樹脂または、ゴム製の凸固定治具３ａがついており、ビニール袋１３がメッシュボール１２内にズレ落ちるのを防ぎます。
【００２９】
ビニール袋１３の内側と外側の密閉は、上部固定板３と下部固定板４とが合わさるシール面２１で構成し、ビニール袋１３の隙間から有害物が漏れるのを防ぎます。
【００３０】
回収された有害物は、上蓋２０を開けて下部固定板４に広がっているビニール袋１３の口を紐または、テープその他の方法で密閉して取り出すことにより、安全に廃棄することが出来ます。
【符号の説明】
【００３１】
１．  掃除機吸引口
２．  上蓋本体固定金具
３．  上部固定版
３ａ.凸固定治具
４    下部固定板
４ａ.シール材
５.  下部本体
６．  メッシュボール通気孔
７．掃除機用吸引モーター/制御ユニット
８．ビニール袋内吸い込み口
９．ビニール袋内吹き出し口
１０．静電気板通気孔
１１．静電気板
１２．メッシュボール
１３．ビニール袋
１６．紙パック
１７．紙パック吸い込み口
１８．蝶番
１９．上蓋内通気孔
２０．上蓋
２１．シール面
２２．有害物
２３.負圧センサー
２４紙パックケース
Ａ. 吸引口気流
Ｂ．吹き出し気流
Ｃ．吸い込み口気流
Ｄ．上蓋紙パック内気流
Ｅ.下部本体内気流
Ｆ.下部本体内気流
Ｇ．排気口気流
【図１】
2020185096.tif 000003
【図２】
2020185096.tif 000004
【図３】
2020185096.tif 000005
【図４】
2020185096.tif 000006